(57)【要約】【課題】使い勝手が良くて美観に優れ、かつ保存性にも優れた徐放器を提供する。【解決手段】放散剤１が収容される収容空間３を形成する凸部１０を有したブリスター部材２と、上記ブリスター部材２に対して収容空間３を覆うように貼着され、上記凸部１０への押圧力で破膜可能な放散剤不透過性のフィルム４と、上記フィルム４を隔ててブリスター部材２と反対側に存在し、破膜されたフィルム４の破膜箇所１４から流出した放散剤１を徐放する徐放部材５とを備えている。【選択図】図１
2008173205.tif 000002
【特許請求の範囲】
【請求項１】
放散剤が収容される収容空間を形成する凸部を有したブリスター部材と、
上記ブリスター部材に対して収容空間を覆うように貼着され、上記凸部への押圧力で破膜可能な放散剤不透過性のフィルムと、
上記フィルムを隔ててブリスター部材と反対側に存在し、破膜されたフィルムの破膜箇所から流出した放散剤を徐放する徐放部材とを備えたことを特徴とする徐放器。
【請求項２】
上記フィルムを隔てて上記凸部と反対側の部分に、上記凸部への押圧力によるフィルムの破膜を容易とするための破膜容易化領域が設けられている請求項１記載の徐放器。
【請求項３】
上記徐放剤が充填された収容空間内に気泡を存在させている請求項１または２記載の徐放器。
【発明の詳細な説明】
【技術分野】
【０００１】
本発明は、芳香剤や防虫剤等の有効成分を含む放散剤を大気中に徐々に放散するための放散器に関するものである。
【背景技術】
【０００２】
従来から、香料、防虫剤、殺虫剤、揮発性薬剤等を室内に除放する徐放器としては、薬剤を不織布等の徐放性基材に含浸させて徐放するもの等各種のものが利用されている。
【０００３】
例えば、下記の特許文献１には、図８に示すように、複数の収納室１００を有する複合容器１０１の上記収納室１００に放散剤１０７が分割充填され、微細孔フィルム１０２と調整孔フィルム１０３と不透過フィルム１０４の３層構造の蓋材１０５で上記収納室１００を覆ったものが提案されている。この特許文献１の徐放器は、微細孔フィルム１０２と調整孔フィルム１０３を残して不透過フィルム１０４を剥離することにより、微細孔フィルム１０２を通過した放散剤が室内に放散され、上記放散剤の放散量を調整孔フィルム１０３の開口１０６で調整しようとするものである。
【特許文献１】特開２００３−１１１８２７号公報
【発明の開示】
【発明が解決しようとする課題】
【０００４】
しかしながら、上記徐放器では、使用するときには、微細孔フィルム１０２と調整孔フィルム１０３を残して薄い不透過フィルム１０４を引き剥がさねばならず、引き剥がしの作業が煩雑で、特に最初に爪先等で少し剥くのが人によっては困難で、ユニバーサルデザイン性に劣るという問題がある。さらに、用途に応じて１つ乃至複数の収納室１００から放散剤を徐放するよう不透過フィルム１０４の引き剥がし量を調節することが行われるが、途中まで引き剥がしたあとの不透過フィルム１０４を挟みやカッターナイフで処理しなければならず、その作業が面倒で美観も悪いという問題がある。また、引き剥がす時の力加減で不必要な収納室１００まで開けてしまうおそれもあり、そうなると放散剤を無駄に消費してしまうこととなる。
【０００５】
また、不透過フィルム１０４と複合容器１０１との間に微細孔フィルム１０２が存在するため、製造されてから実際に使用されるまでの保管時や流通時に、収納室１００内に収納された放散剤が徐々に微細孔フィルム１０２を通過して大気に漏れ出すため、実際に使用されるまでの保管時間が長期にわたる場合には放散剤が減少してしまうという問題がある。このように、収納室１００の気密性に劣るため、収納室１００内に収容された放散剤の劣化も早く、保存性に劣るという問題がある。
【０００６】
本発明は、上記のような事情に鑑みなされたもので、使い勝手が良くて美観に優れ、かつ保存性にも優れた徐放器を提供することをその目的とする。
【課題を解決するための手段】
【０００７】
上記目的を達成するため、本発明の徐放器は、放散剤が収容される収容空間を形成する凸部を有したブリスター部材と、上記ブリスター部材に対して収容空間を覆うように貼着され、上記凸部への押圧力で破膜可能な放散剤不透過性のフィルムと、上記フィルムを隔ててブリスター部材と反対側に存在し、破膜されたフィルムの破膜箇所から流出した放散剤を吸収して徐放する徐放部材とを備えたことを要旨とする。
【発明の効果】
【０００８】
すなわち、本発明の徐放器は、使用するときには、ブリスター部材の凸部を押圧することによりフィルムを破膜し、破膜箇所から流出した放散剤を徐放部材に吸収させて徐放する。したがって、従来のように薄いフィルムを引き剥がす必要がなく、凸部を押し潰すだけでよいことから、作業が簡単でユニバーサルデザイン性に優れる。引き剥がしたフィルムの処理も不要で美観にも優れる。また、引き剥がす力加減等で放散剤を無駄に消費してしまうこともなくなる。さらに、ブリスター部材に対して放散剤不透過性のフィルムが貼着されていることから、保管時や流通時に放散剤が大気に漏れ出すこともなく、収容室の気密性も確保されていることから内部の放散剤の劣化防止にも有利であり、極めて保存性に優れている。
【０００９】
本発明において、上記フィルムを隔てて上記凸部と反対側の部分に、上記凸部への押圧力によるフィルムの破膜を容易とするための破膜容易化領域が設けられている場合には、凸部を手指で押し潰したときに容易かつ確実にフィルムを破膜して内部の放散剤を徐放部材に吸収させて徐放することができ、よりユニバーサルデザイン性に優れたものとなる。
【００１０】
本発明において、上記徐放剤が充填された収容空間内に気泡を存在させている場合には、凸部に少しくらいの押圧力が加わっても気泡の弾力がクッションとなって、容易にフィルムが破膜しないため、輸送中や保管中に誤って外力が加わることにより不要にフィルムが破膜して徐放剤が流出してしまうのを防止することができる。
【発明を実施するための最良の形態】
【００１１】
つぎに、本発明を実施するための最良の形態を説明する。
【００１２】
図１は、本発明の徐放器の一実施形態を示す図である。
【００１３】
この徐放器は、放散剤１が収容されるブリスター部材２と、上記ブリスター部材２に対して収容空間３を覆うように貼着されたフィルム４と、上記フィルム４を隔ててブリスター部材２と反対側に存在する徐放部材５とを備えている。
【００１４】
より詳しく説明すると、上記ブリスター部材２は、放散剤１が収容される収容空間３を形成する円錐台上の凸部１０と、上記凸部１０の周縁に形成されたフランジ部９とから構成されている。また、上記ブリスター部材２は、透明の樹脂シートが成形されて形成され、内部に収容された放散剤１の有効成分や揮発成分の不透過性を保つようになっている。そして、上記ブリスター部材２の収容空間３に、液状の放散剤１が充填された状態で、フランジ部９の下面にフィルム４が貼着されている。
【００１５】
上記フィルム４は、上記凸部１０への押圧力で破膜可能な放散剤１の有効成分や揮発成分が不透過性のフィルム４であり、この例ではアルミニウム箔等の金属箔が用いられている。これにより、上記収容空間３内に充填された放散剤１は、ブリスター部材２とフィルム４とによって外気と気密を保った状態で収容される。この例では、円形のフランジ部９と略同じ形状大きさのフィルム４が貼着されている。
【００１６】
また、上記徐放部材５は、破膜されたフィルム４の破膜箇所から流出した放散剤１を吸収して徐放するよう構成されている。この例では、上記徐放部材５は、吸水性に富むフェルト，コースター紙，吸取紙，スポンジ，不織布等を用いることができる。上記徐放部材５は、用途によっては必要に応じてある程度の形状保持性を有するものを用いるのが好ましい。
【００１７】
この例では、円盤状の徐放部材５の上面に、放散剤１が充填されてフィルム４が貼着され密封されたブリスター部材２が複数（この例では６個）載置され貼着されている。
【００１８】
そして、上記ブリスター部材２が貼着された状態において、上記フィルム４を隔てて上記凸部１０と反対側の部分に、上記凸部１０への押圧力によるフィルム４の破膜を容易とするための破膜容易化領域６が設けられている。上記破膜容易化領域６は、この例では、円盤状の徐放部材５に形成された円形の貫通部６として構成されている。
【００１９】
換言すれば、上記徐放部材５には、円形の貫通部６が複数（この例では６個）形成され、上記各貫通部６を覆うように放散剤１が充填されてフィルム４が貼着され密封されたブリスター部材２が貼着されている。
【００２０】
上記貫通部６の大きさは、ブリスター部材２のフランジ部９の外周よりも小さくなるよう設定され、フランジ部９に対応する部分を含むフィルム４の下面が徐放部材５の上面に貼着されている。
【００２１】
そして、上記徐放部材５のブリスター部材２と反対側の面には、各貫通部６を覆うとともに徐放部材５の下面を覆うカバー部材７が貼着されている。この例では、上記カバー部材７としては、フィルム４が破膜して放散剤１が貫通部６に流出したときに放散剤１の飛び散りを防止するものが用いられる。例えば、放散剤１の有効成分や揮発成分が不透過性の樹脂フィルムを用いたり、放散剤１の有効成分や揮発成分が透過性の紙を用いたりすることが可能である。また、徐放部材５が外力に対して変形容易な材質である場合に、ある程度の形状保持を可能とする厚手の紙や樹脂シート等を用いることも可能である。
【００２２】
図２は、上記徐放器の作用を説明する図である。
【００２３】
上記徐放器を使用するときは、ブリスター部材２の凸部１０を上から押圧して凹ませることにより、収容空間３内の内部圧力を上昇させ、この圧力によってフィルム４を破膜する。このとき、上記圧力によってフィルム４が貫通部６内に膨出するように押出されるため、貫通部６の存在によりフィルム４の破膜が容易化する。
【００２４】
この破膜によって形成された破膜箇所１４から放散剤１を貫通部６に流出させ、流出した放散剤１が徐放部材５に吸収されて大気中に徐放される。このとき、放散剤１として液状等の流体状のものを使用することにより、破膜箇所１４から放散剤１が速やかに貫通部６に流出して徐放部材５に吸収され徐放される。
【００２５】
ここで、例えば、放散剤１が不透過性のカバー部材７を使用した場合には、放散剤１は主として徐放部材５の上面から放出される。また、放散剤１が透過性のカバー部材７を使用した場合には、放散剤１は主として徐放部材５の上面から放出されるが、下面からも放出される。
【００２６】
例えば、放散剤１として芳香剤を使用した場合、押し潰すブリスター部材２の数によって流出させる放散剤１の量を調節し、香りの強さ等放散剤１の効き目を調整することが可能となる。
【００２７】
この例では、上記放散剤１が充填された収容空間３内に気泡８を存在させている。このようにすることにより、凸部１０に少しくらいの押圧力が加わっても気泡８の弾力がクッションとなって、容易にフィルム４が破膜しないため、輸送中や保管中に誤って外力が加わることにより不要にフィルム４が破膜して放散剤１が流出してしまうのを防止することができる。
【００２８】
上記気泡８の容積は、収容空間３の容積に対して２容量％以上５０容量％以下程度に設定するのが好ましく、１０容量％以上４０容量％以下程度であればなお好ましい。上限値を超えると、凸部１０を押圧したときのフィルム４の破膜が困難になって使い勝手が悪くなり、下限値未満では、気泡８のクッション効果に乏しくてフィルム４が破膜しやすくなるからである。
【００２９】
以上のように、本実施形態の徐放器によれば、使用するときには、ブリスター部材２の凸部１０を押圧することによりフィルム４を破膜し、破膜箇所１４から流出した放散剤１を徐放部材５に吸収させて徐放する。したがって、従来のように薄いフィルムを引き剥がす必要がなく、凸部１０を押し潰すだけでよいことから、作業が簡単でユニバーサルデザイン性に優れる。引き剥がしたフィルムの処理も不要で美観にも優れる。また、引き剥がす力加減等で放散剤１を無駄に消費してしまうこともなくなる。さらに、ブリスター部材２に対して放散剤不透過性のフィルム４が貼着されていることから、保管時や流通時に放散剤１が大気に漏れ出すこともなく、収容空間３の気密性も確保されていることから内部の放散剤１の劣化防止にも有利であり、極めて保存性に優れている。
【００３０】
また、上記フィルム４を隔てて上記凸部１０と反対側の部分に、上記凸部１０への押圧力によるフィルム４の破膜を容易とするための破膜容易化領域６が設けられている場合には、凸部１０を手指で押し潰したときに容易かつ確実にフィルム４を破膜して内部の放散剤１を徐放部材５に吸収させて徐放することができ、よりユニバーサルデザイン性に優れたものとなる。
【００３１】
図３は、本発明の第２実施形態を示す。
【００３２】
この例は、ブリスター部材２ａが、複数の凸部１０が平坦部１５で一体に連結されて構成されている。そして、フィルム４は、上記各凸部１０で形成される各収容空間３を覆うように平坦部１５の略全面に貼着されている。徐放部材５には、ブリスター部材２ａの凸部１０に対応する部分に貫通部（破膜容易化領域）６が形成されている。
【００３３】
この例では、徐放部材５上面の全面がブリスター部材２ａに覆われており、このままでは上面からの徐放ができないため、徐放部材５下面には、放散剤１の有効成分や揮発成分が透過する徐放シート１１が貼着されている。図において、符号１２は、ブリスター部材２ａの平坦部１５を隠す装飾シート１２である。
【００３４】
なお、この例において、ブリスター部材２ａの平坦部１５とフィルム４を貫通する多数の開口を設けて徐放部材５上面からの徐放を可能にすることもできる。この場合、徐放部材５下面には、放散剤１の有効成分や揮発成分を透過しないカバー部材７を貼着することもできる。
【００３５】
それ以外は、上記第１実施形態と同様であり、同様の部分には同じ符号を付している。この例でも上記第１実施形態と同様の作用効果を奏する。
【００３６】
図４は、本発明の第３実施形態を示す。
【００３７】
この例は、収容空間３内に気泡８が存在しないかわりに、フィルム４の収容空間３を覆う部分が弛んでおり、この弛みがクッションとなって凸部１０がある程度押圧されたときに容易にフィルム４を破膜させないようになっている。なお、この例において、収容空間３内に気泡を存在させてもよい。
【００３８】
この第３実施形態を第２実施形態と組み合わせることもできる。それ以外は、上記第１および第２実施形態と同様であり、同様の部分には同じ符号を付している。この例でも上記第１および第２実施形態と同様の作用効果を奏する。
【００３９】
図５は、本発明の第４実施形態を示す。
【００４０】
この例は、徐放部材５に形成した貫通部６内に、柔らかいスポンジのような軟質多孔質部材１３が充填されている。このように、破膜容易化領域６には、比較的柔らかい多孔質部材や繊維等を充填させることもできる。
【００４１】
この第４実施形態を第２実施形態や第３実施形態と組み合わせることもできる。それ以外は、上記第１〜第３実施形態と同様であり、同様の部分には同じ符号を付している。この例でも上記第１〜第３実施形態と同様の作用効果を奏する。
【００４２】
図６は、本発明の第５実施形態を示す。
【００４３】
図６（Ａ）は、収容空間３の下部開口よりも破膜容易化領域６が小さくなるよう設定したものであり、図６（Ｂ）は、収容空間３の下部開口よりも破膜容易化領域６が大きくなるよう設定したものである。
【００４４】
この第５実施形態を第２実施形態〜第４実施形態と組み合わせることもできる。それ以外は、上記第１〜第４実施形態と同様であり、同様の部分には同じ符号を付している。この例でも上記第１〜第４実施形態と同様の作用効果を奏する。
【００４５】
図７は、本発明の第６実施形態を示す。
【００４６】
この例は、破膜容易化領域６を貫通部６ではなく凹部６ａとして形成したものである。この第６実施形態を第２実施形態〜第５実施形態と組み合わせることもできる。それ以外は、上記第１〜第５実施形態と同様であり、同様の部分には同じ符号を付している。この例でも上記第１〜第５実施形態と同様の作用効果を奏する。
【００４７】
本発明は、上記各実施形態に限定するものではなく、下記の各変形例を包含する趣旨である。
【００４８】
複数の収容空間３には、同じ種類の放散剤１を充填してもよいし、異なる種類の放散剤１を充填することもできる。例えば、放散剤１が芳香剤である場合、複数の収容空間３に同じ香りの芳香剤を収容して同じ香りを長期間楽しめるようにしてもよいし、異なる香りの芳香剤を収容して複数の香りを楽しめるようにすることもできる。また、芳香剤と消臭剤、あるいは防虫剤と消臭剤のように、異なる種類の放散剤１を組み合わせて収容し、複数の機能を利用できるようにすることもできる。
【００４９】
また、上記各実施形態では、破膜可能なフィルム４としてアルミニウム箔を用いた例を示したが放散剤に対して不透過性で破膜可能なフィルムであれば、これに限定するものではなく各種のフィルムを用いることができる。例えば、樹脂フィルムやアルミニウム箔等の金属箔に樹脂フィルムをラミネートしたラミネートフィルム等を用いることができる。これらのフィルムには、あらかじめ方向性のある微小疵等をつけておいて小さな力で破膜するようにすることも可能である。
【００５０】
また、フィルム４と対面する部分にフィルム４に穿孔を形成する突刺片を設けておいて凸部１０に対して押圧力が加わったときにフィルム４を突刺片が突いて破膜させるようにすることも可能である。
【００５１】
上記放散剤１である液剤の有効成分は、自然蒸散させるようにしてもよいし、ヒータ等の加熱手段によって液剤を加熱することにより有効成分を積極的に蒸散させたりすることもできる。上記放散剤１としては、芳香剤や消臭剤に限定するものではなく、例えば、防虫剤、殺虫剤、忌避剤、殺菌剤等各種のものを適用することができる。
【図面の簡単な説明】
【００５２】
【図１】本発明の一実施形態の徐放器を示す図であり、（Ａ）は斜視図、（Ｂ）は部分拡大断面図である。
【図２】上記徐放器の作用を説明するための部分拡大断面図である。
【図３】本発明の第２実施形態の徐放器を示す部分拡大断面図である。
【図４】本発明の第３実施形態の徐放器を示す部分拡大断面図である。
【図５】本発明の第４実施形態の徐放器を示す部分拡大断面図である。
【図６】本発明の第５実施形態の徐放器を示す部分拡大断面図である。
【図７】本発明の第６実施形態の徐放器を示す部分拡大断面図である。
【図８】従来例の徐放器を示す図であり、（Ａ）は分解斜視図、（Ｂ）は部分拡大断面図である。
【符号の説明】
【００５３】
１：放散剤
２：ブリスター部材
２ａ：ブリスター部材
３：収容空間
４：フィルム
５：徐放部材
６：破膜容易化領域（貫通部）
６ａ：凹部
７：カバー部材
８：気泡
９：フランジ部
１０：凸部
１１：徐放シート
１２：装飾シート
１３：軟質多孔質部材
１４：破膜箇所
１５：平坦部
１００：収納室
１０１：複合容器
１０２：微細孔フィルム
１０３：調整孔フィルム
１０４：不透過フィルム
１０５：蓋材
１０６：開口
１０７：放散剤
【図１】
2008173205.tif 000003
【図２】
2008173205.tif 000004
【図３】
2008173205.tif 000005
【図４】
2008173205.tif 000006
【図５】
2008173205.tif 000007
【図６】
2008173205.tif 000008
【図７】
2008173205.tif 000009
【図８】
2008173205.tif 000010